(57)【要約】【課題】本発明はステープルリムーバーを開示した。【解決手段】スタンドを含み、前記スタンドにはステープルリムーバーの高度と角度を調節できる調節部品が設けられ、前記調節部品は前記スタンドの頂部端面に固定的に取り付けられた回転台を含み、前記回転台には支持アームがヒンジによって取り付けられ、これにより左右方向の角度の調節を実現でき、前記支持アームの中には左右に連通した横ロッドスライド溝が設けられ、前記横ロッドスライド溝の上下内壁の間にはネジロッドが回転できるように取り付けられ、前記ネジロッドには前記ステープルリムーバーを支持できる横ロッドがねじ山によって取り付けられ、前記調節部品の左側には抓み部品が設けられている。【選択図】図１
2020183025.tif 000002
【特許請求の範囲】
【請求項１】
正面視で、ステープルリムーバーであって、スタンドを含み、前記スタンドにはステープルリムーバーの高度と角度を調節できる調節部品が設けられ、前記調節部品は前記スタンドの頂部端面に固定的に取り付けられた回転台を含み、前記回転台には支持アームがヒンジによって取り付けられ、これにより左右方向の角度の調節を実現でき、前記支持アームの中には左右に連通した横ロッドスライド溝が設けられ、前記横ロッドスライド溝の上下内壁の間にはネジロッドが回転できるように取り付けられ、前記ネジロッドには前記ステープルリムーバーを支持できる横ロッドがねじ山によって取り付けられ、前記調節部品の左側には抓み部品が設けられ、前記抓み部品は前記横ロッドの左側に設けられたスライドスリーブ溝を含み、前記スライドスリーブ溝にはスライドスリーブがスライドできるように取り付けられ、前記スライドスリーブの中にはスライドロッドがスライドできるように取り付けられ、前記スライドロッドには固定位置制限ブロックが固定的に取り付けられ、前記固定位置制限ブロックと前記スライドスリーブとの間には前記スライドロッドを下へスライドし復帰させることができる復帰バネが固定的に取り付けられ、前記スライドロッドには固定挟み爪がスライドできるように取り付けられ、前記スライドロッドの頂部末端には動き挟み爪がヒンジによって取り付けられ、前記動き挟み爪の後ろ側端面には前記動き挟み爪を回転させることができる回転ロッドが固定的に取り付けられ、前記抓み部品は前記支持アームの後側端面にヒンジによって取り付けられた押しロッドも含み、前記押しロッドと前記スライドロッドとがスライドできるように取り付けられ、前記固定挟み爪と前記動き挟み爪とが協働しステープルを挟んだ後、前記押しロッドを下へ押すことによって前記スライドロッドを上へスライドさせることができ、前記スライドロッドが前記固定挟み爪と前記動き挟み爪とを連動させてステープルを抜き出させ、前記抓み部品の後側には文書を押さえつけることができる押さえつけ部品が設けられ、前記押さえつけ部品は前記横ロッドの底部端面に固定的に取り付けられた第一押さえつけロッドを含み、前記第一押さえつけロッドの中には押さえつけロッドスライド溝が設けられ、前記押さえつけロッドスライド溝の中には第二押さえつけロッドがスライドできるように取り付けられ、前記第二押さえつけロッドの底部末端には直接に文書を押さえつけることができる押さえつけ板がヒンジによって取り付けられ、前記押さえつけ部品は前記第一押さえつけロッドの後側端面にヒンジによって取り付けられた回しロッドも含み、上下に前記回しロッドを回すことによって第二押さえつけロッドが上下にスライドでき、前記回しロッドと前記第一押さえつけロッドとの間には引きバネが固定的に取り付けられ、前記第二押さえつけロッドには連結台が固定的に取り付けられ、前記連結台には引きロッドがヒンジによって取り付けられ、前記引きロッドと前記回しロッドとがヒンジによって連結されていることを特徴とするステープルリムーバー。
【請求項２】
前記調節部品は前記回転台の前後端面に回転できるように取り付けられた第一ノブも含み、前記ネジロッドが上へ伸びて前記支持アームの頂部端面を貫通しており、前記支持アームの頂部端面には第二ノブが固定的に取り付けられていることを特徴とする請求項１に記載のステープルリムーバー。
【請求項３】
前記抓み部品は前記スライドロッドにねじ山によって取り付けられた位置制限ナットがねじ山によって取り付けられ、前記スライドスリーブ溝の前後内壁の中にはスライドブロック溝が前後に対称的に設けられ、前記スライドスリーブの前後端面にはスライドブロックが前後に対称的に固定的に取り付けられ、前記スライドブロックと前記スライドブロック溝とがスライドできるように取り付けられ、前記固定挟み爪は前記スライドロッドで一定の距離にしかスライドできなく、前記動き挟み爪と前記スライドロッドの頂部端面との間にはトーションバネが固定的に取り付けられていることを特徴とする請求項１に記載のステープルリムーバー。
【請求項４】
前記押さえつけ部品は前記スタンドの中に設けられた挟みバネチャンバも含み、前記挟みバネチャンバの頂部端面には位置制限スライドブロックが固定的に取り付けられ、前記位置制限スライドブロックの頂部端面には挟みロッドが固定的に取り付けられ、前記位置制限スライドブロックの頂部端面と前記挟みバネチャンバの頂壁との間には挟みバネが固定的に取り付けられていることを特徴とする請求項１に記載のステープルリムーバー。
【発明の詳細な説明】
【技術分野】
【０００１】
本発明は事務用品分野を取り上げて、具体的にはステープルリムーバーである。
【背景技術】
【０００２】
現在オフィスで使われているステープルリムーバーは、一般的にステープルリムーバーでステープルを挟んだ後、直接に手でステープルを抜き出し、こういうステープルリムーバーを使うには力がかかり、またステープルを挟むときに紙が壊れやすく、特に厚い文書や大きい文書に対して実用的ではない。
【先行技術文献】
【特許文献】
【０００３】
【特許文献１】中国特許出願公開第１０３６３９９９１号明細書
【発明の概要】
【発明が解決しようとする課題】
【０００４】
本発明の目的はステープルリムーバーを提供し、それは上記の現在の技術中の問題を解決できる。
【課題を解決するための手段】
【０００５】
本発明のステープルリムーバーは、スタンドを含み、前記スタンドにはステープルリムーバーの高度と角度を調節できる調節部品が設けられ、前記調節部品は前記スタンドの頂部端面に固定的に取り付けられた回転台を含み、前記回転台には支持アームがヒンジによって取り付けられ、これにより左右方向の角度の調節を実現でき、前記支持アームの中には左右に連通した横ロッドスライド溝が設けられ、前記横ロッドスライド溝の上下内壁の間にはネジロッドが回転できるように取り付けられ、前記ネジロッドには前記ステープルリムーバーを支持できる横ロッドがねじ山によって取り付けられ、前記調節部品の左側には抓み部品が設けられ、前記抓み部品は前記横ロッドの左側に設けられたスライドスリーブ溝を含み、前記スライドスリーブ溝にはスライドスリーブがスライドできるように取り付けられ、前記スライドスリーブの中にはスライドロッドがスライドできるように取り付けられ、前記スライドロッドには固定位置制限ブロックが固定的に取り付けられ、前記固定位置制限ブロックと前記スライドスリーブとの間には前記スライドロッドを下へスライドし復帰させることができる復帰バネが固定的に取り付けられ、前記スライドロッドには固定挟み爪がスライドできるように取り付けられ、前記スライドロッドの頂部末端には動き挟み爪がヒンジによって取り付けられ、前記動き挟み爪の後ろ側端面には前記動き挟み爪を回転させることができる回転ロッドが固定的に取り付けられ、前記抓み部品は前記支持アームの後側端面にヒンジによって取り付けられた押しロッドも含み、前記押しロッドと前記スライドロッドとがスライドできるように取り付けられ、前記固定挟み爪と前記動き挟み爪とが協働しステープルを挟んだ後、前記押しロッドを下へ押すことによって前記スライドロッドを上へスライドさせることができ、前記スライドロッドが前記固定挟み爪と前記動き挟み爪とを連動させてステープルを抜き出させ、前記抓み部品の後側には文書を押さえつけることができる押さえつけ部品が設けられ、前記押さえつけ部品は前記横ロッドの底部端面に固定的に取り付けられた第一押さえつけロッドを含み、前記第一押さえつけロッドの中には押さえつけロッドスライド溝が設けられ、前記押さえつけロッドスライド溝の中には第二押さえつけロッドがスライドできるように取り付けられ、前記第二押さえつけロッドの底部末端には直接に文書を押さえつけることができる押さえつけ板がヒンジによって取り付けられ、前記押さえつけ部品は前記第一押さえつけロッドの後側端面にヒンジによって取り付けられた回しロッドも含み、上下に前記回しロッドを回すことによって第二押さえつけロッドが上下にスライドでき、前記回しロッドと前記第一押さえつけロッドとの間には引きバネが固定的に取り付けられ、前記第二押さえつけロッドには連結台が固定的に取り付けられ、前記連結台には引きロッドがヒンジによって取り付けられ、前記引きロッドと前記回しロッドとがヒンジによって連結されている。
【０００６】
更の技術プラン、前記調節部品は前記回転台の前後端面に回転できるように取り付けられた第一ノブも含み、前記ネジロッドが上へ伸びて前記支持アームの頂部端面を貫通しており、前記支持アームの頂部端面には第二ノブが固定的に取り付けられている。
【０００７】
更の技術プラン、前記抓み部品は前記スライドロッドにねじ山によって取り付けられた位置制限ナットがねじ山によって取り付けられ、前記スライドスリーブ溝の前後内壁の中にはスライドブロック溝が前後に対称的に設けられ、前記スライドスリーブの前後端面にはスライドブロックが前後に対称的に固定的に取り付けられ、前記スライドブロックと前記スライドブロック溝とがスライドできるように取り付けられ、前記固定挟み爪は前記スライドロッドで一定の距離にしかスライドできなく、前記動き挟み爪と前記スライドロッドの頂部端面との間にはトーションバネが固定的に取り付けられている。
【０００８】
更の技術プラン、前記押さえつけ部品は前記スタンドの中に設けられた挟みバネチャンバも含み、前記挟みバネチャンバの頂部端面には位置制限スライドブロックが固定的に取り付けられ、前記位置制限スライドブロックの頂部端面には挟みロッドが固定的に取り付けられ、前記位置制限スライドブロックの頂部端面と前記挟みバネチャンバの頂壁との間には挟みバネが固定的に取り付けられている。
【発明の効果】
【０００９】
本発明はステープルリムーバーの角度と高度とを調節でき、異なった厚さの文書に対応でき、ステープルを抓むとき、紙が壊れないように保護し、てこの原理を利用し、便利に比較的に大きいステープルを取ることができ、普及価値がある。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の全体構成略図
【図２】図２は図１の左面構成略図
【図３】図３は図２のＡの拡大構成略図
【図４】図４は押さえつけ板４０の上面構成略図
【発明を実施するための形態】
【００１２】
図１〜４を参照し、本発明のステープルリムーバーは、スタンド１０を含み、前記スタンド１０にはステープルリムーバーの高度と角度を調節できる調節部品８０が設けられ、前記調節部品８０は前記スタンド１０の頂部端面に固定的に取り付けられた回転台３５を含み、前記回転台３５には支持アーム１６がヒンジによって取り付けられ、これにより左右方向の角度の調節を実現でき、前記支持アーム１６の中には左右に連通した横ロッドスライド溝１８が設けられ、前記横ロッドスライド溝１８の上下内壁の間にはネジロッド１７が回転できるように取り付けられ、前記ネジロッド１７には前記ステープルリムーバーを支持できる横ロッド１９がねじ山によって取り付けられ、前記調節部品８０の左側には抓み部品８１が設けられ、前記抓み部品８１は前記横ロッド１９の左側に設けられたスライドスリーブ溝２５を含み、前記スライドスリーブ溝２５にはスライドスリーブ２４がスライドできるように取り付けられ、前記スライドスリーブ２４の中にはスライドロッド２２がスライドできるように取り付けられ、前記スライドロッド２２には固定位置制限ブロック２８が固定的に取り付けられ、前記固定位置制限ブロック２８と前記スライドスリーブ２４との間には前記スライドロッド２２を下へスライドし復帰させることができる復帰バネ２７が固定的に取り付けられ、前記スライドロッド２２には固定挟み爪２９がスライドできるように取り付けられ、前記スライドロッド２２の頂部末端には動き挟み爪３０がヒンジによって取り付けられ、前記動き挟み爪３０の後ろ側端面には前記動き挟み爪３０を回転させることができる回転ロッド４４が固定的に取り付けられ、前記抓み部品８１は前記支持アーム１６の後側端面にヒンジによって取り付けられた押しロッド２０も含み、前記押しロッド２０と前記スライドロッド２２とがスライドできるように取り付けられ、前記固定挟み爪２９と前記動き挟み爪３０とが協働しステープルを挟んだ後、前記押しロッド２０を下へ押すことによって前記スライドロッド２２を上へスライドさせることができ、前記スライドロッド２２が前記固定挟み爪２９と前記動き挟み爪３０とを連動させてステープルを抜き出させ、前記抓み部品８１の後側には文書を押さえつけることができる押さえつけ部品８２が設けられ、前記押さえつけ部品８２は前記横ロッド１９の底部端面に固定的に取り付けられた第一押さえつけロッド３６を含み、前記第一押さえつけロッド３６の中には押さえつけロッドスライド溝３７が設けられ、前記押さえつけロッドスライド溝３７の中には第二押さえつけロッド３９がスライドできるように取り付けられ、前記第二押さえつけロッド３９の底部末端には直接に文書を押さえつけることができる押さえつけ板４０がヒンジによって取り付けられ、前記押さえつけ部品８２は前記第一押さえつけロッド３６の後側端面にヒンジによって取り付けられた回しロッド４１も含み、上下に前記回しロッド４１を回すことによって第二押さえつけロッド３９が上下にスライドでき、前記回しロッド４１と前記第一押さえつけロッド３６との間には引きバネ４３が固定的に取り付けられ、前記第二押さえつけロッド３９には連結台３８が固定的に取り付けられ、前記連結台３８には引きロッド４２がヒンジによって取り付けられ、前記引きロッド４２と前記回しロッド４１とがヒンジによって連結されている。
【００１３】
前記調節部品８０は前記回転台３５の前後端面に回転できるように取り付けられた第一ノブ３４も含み、前記ネジロッド１７が上へ伸びて前記支持アーム１６の頂部端面を貫通しており、前記支持アーム１６の頂部端面には第二ノブ２１が固定的に取り付けられ、第一ノブ３４を回転させるとき、支持アーム１６に回転台３５を中心に回転させ、角度の調節を実現し、第二ノブ２１を回転させるとき、第二ノブ２１はネジロッド１７を回転連動させることができ、ネジロッド１７が回転することによって横ロッド１９を横ロッドスライド溝１８の中で上下にスライド連動させることができ、ステープルの上下高度の調節を実現する。
【００１４】
前記抓み部品８１は前記スライドロッド２２にねじ山によって取り付けられた位置制限ナット２３がねじ山によって取り付けられ、前記スライドスリーブ溝２５の前後内壁の中にはスライドブロック溝２６が前後に対称的に設けられ、前記スライドスリーブ２４の前後端面にはスライドブロック３２が前後に対称的に固定的に取り付けられ、前記スライドブロック３２と前記スライドブロック溝２６とがスライドできるように取り付けられ、前記固定挟み爪２９は前記スライドロッド２２で一定の距離にしかスライドできなく、前記動き挟み爪３０と前記スライドロッド２２の頂部端面との間にはトーションバネ３３が固定的に取り付けられ、ステープルをつまむとき、回転ロッド４４を回転させ、動き挟み爪３０が抓もうとするステープルと互いに邪魔しなく、トーションバネ３３は動き挟み爪３０と固定挟み爪２９とを自動的に協働させることができ、これにより動き挟み爪３０と固定挟み爪２９とがステープルを挟み、押しロッド２０を押し動かし、押しロッド２０はスライドロッド２２を上へスライド連動させることができ、スライドロッド２２が固定挟み爪２９と動き挟み爪３０とを上へ引き動かし、これにより固定挟み爪２９と動き挟み爪３０とがステープルを取る。
【００１５】
前記押さえつけ部品８２は前記スタンド１０の中に設けられた挟みバネチャンバ１３も含み、前記挟みバネチャンバ１３の頂部端面には位置制限スライドブロック１５が固定的に取り付けられ、前記位置制限スライドブロック１５の頂部端面には挟みロッド１１が固定的に取り付けられ、前記位置制限スライドブロック１５の頂部端面と前記挟みバネチャンバ１３の頂壁との間には挟みバネ１４が固定的に取り付けられ、文書をスタンド１０に置いた後、挟みロッド１１は直接に文書を挟むことができ、抓む準備をするとき、回しロッド４１を下へ回し、押さえつけ板４０に文書を押さえつけさせ、これによりステープルが便利に取られることができ、抓み完了のとき、回しロッド４１を上へ回し、押さえつけ板４０が押さえつけることを止め、文書を取り出すことができる。
【００１６】
使用時には：文書をスタンド１０に置いた後、挟みロッド１１は直接に文書を挟むことができ、抓む準備をするとき、回しロッド４１を下へ回し、押さえつけ板４０に文書を押さえつけさせ、ステープルをつまむとき、回転ロッド４４を回転させ、動き挟み爪３０が抓もうとするステープルと互いに邪魔しなく、トーションバネ３３は動き挟み爪３０と固定挟み爪２９とを自動的に協働させることができ、これにより動き挟み爪３０と固定挟み爪２９とがステープルを挟み、押しロッド２０を押し動かし、押しロッド２０はスライドロッド２２を上へスライド連動させることができ、スライドロッド２２が固定挟み爪２９と動き挟み爪３０とを上へ引き動かし、これにより固定挟み爪２９と動き挟み爪３０とがステープルを取り、これにより便利にステープルを取ることができ、抓み完了のとき、回しロッド４１を上へ回し、押さえつけ板４０が押さえつけることを止め、文書を取り出すことができ、第一ノブ３４を回転させるとき、支持アーム１６に回転台３５を中心に回転させ、角度の調節を実現し、第二ノブ２１を回転させるとき、第二ノブ２１はネジロッド１７を回転連動させることができ、ネジロッド１７が回転することによって横ロッド１９を横ロッドスライド溝１８の中で上下にスライド連動させることができ、ステープルの上下高度の調節を実現する。
【００１７】
本発明の有益効果は：本発明はステープルリムーバーの角度と高度とを調節でき、異なった厚さの文書に対応でき、ステープルを抓むとき、紙が壊れないように保護してこの原理を利用し、便利に比較的に大きいステープルを取ることができ、普及価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020183025.tif 000003
【図２】
2020183025.tif 000004
【図３】
2020183025.tif 000005
【図４】
2020183025.tif 000006
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
ステープルリムーバーであって、スタンドを含み、前記スタンドにはステープルリムーバーの高度と角度を調節できる調節部品が設けられ、前記調節部品は前記スタンドの頂面に固定的に取り付けられた回転台を含み、前記回転台には支持アームがヒンジによって取り付けられ、これにより左右方向の角度の調節を実現でき、前記支持アームの中には左右に連通した横ロッドスライド溝が設けられ、前記横ロッドスライド溝の上下内壁の間にはネジロッドが回転できるように取り付けられ、前記ネジロッドには横ロッドがねじ山によって取り付けられ、前記調節部品の左側には抓み部品が設けられ、前記抓み部品は前記横ロッドの左側に設けられたスライドスリーブ溝を含み、前記スライドスリーブ溝にはスライドスリーブがスライドできるように取り付けられ、前記スライドスリーブの中にはスライドロッドがスライドできるように取り付けられ、前記スライドロッドには固定位置制限ブロックが固定的に取り付けられ、前記固定位置制限ブロックと前記スライドスリーブとの間には前記スライドロッドを下へスライドし復帰させることができる復帰バネが固定的に取り付けられ、前記スライドロッドには固定挟み爪がスライドできるように取り付けられ、前記スライドロッドの頂部末端には動き挟み爪がヒンジによって取り付けられ、前記動き挟み爪の後ろ側端面には前記動き挟み爪を回転させることができる回転ロッドが固定的に取り付けられ、前記抓み部品は前記支持アームの後側端面にヒンジによって取り付けられた押しロッドも含み、前記押しロッドと前記スライドロッドとがスライドできるように取り付けられ、前記固定挟み爪と前記動き挟み爪とが協働しステープルを挟んだ後、前記押しロッドを下へ押すことによって前記スライドロッドを上へスライドさせることができ、前記スライドロッドが前記固定挟み爪と前記動き挟み爪とを連動させてステープルを抜き出させ、前記抓み部品の後側には文書を押さえつけることができる押さえつけ部品が設けられ、前記押さえつけ部品は前記横ロッドの底部端面に固定的に取り付けられた第一押さえつけロッドを含み、前記第一押さえつけロッドの中には押さえつけロッドスライド溝が設けられ、前記押さえつけロッドスライド溝の中には第二押さえつけロッドがスライドできるように取り付けられ、前記第二押さえつけロッドの底部末端には直接に文書を押さえつけることができる押さえつけ板がヒンジによって取り付けられ、前記押さえつけ部品は前記第一押さえつけロッドの後側端面にヒンジによって取り付けられた回しロッドも含み、上下に前記回しロッドを回すことによって第二押さえつけロッドが上下にスライドでき、前記回しロッドと前記第一押さえつけロッドとの間には引きバネが固定的に取り付けられ、前記第二押さえつけロッドには連結台が固定的に取り付けられ、前記連結台には引きロッドがヒンジによって取り付けられ、前記引きロッドと前記回しロッドとがヒンジによって連結されていることを特徴とするステープルリムーバー。
【請求項２】
前記調節部品は前記回転台の前後端面に回転できるように取り付けられた第一ノブも含み、前記ネジロッドが上へ伸びて前記支持アームの頂面を貫通しており、前記支持アームの頂面には第二ノブが固定的に取り付けられていることを特徴とする請求項１に記載のステープルリムーバー。
【請求項３】
前記抓み部品は前記スライドロッドにねじ山によって取り付けられた位置制限ナットがねじ山によって取り付けられ、前記スライドスリーブ溝の前後内壁の中にはスライドブロック溝が前後に対称的に設けられ、前記スライドスリーブの前後端面にはスライドブロックが前後に対称的に固定的に取り付けられ、前記スライドブロックと前記スライドブロック溝とがスライドできるように取り付けられ、前記固定挟み爪は前記スライドロッドで一定の距離にしかスライドできなく、前記動き挟み爪と前記スライドロッドの頂面との間にはトーションバネが固定的に取り付けられていることを特徴とする請求項１に記載のステープルリムーバー。
【請求項４】
前記押さえつけ部品は前記スタンドの中に設けられた挟みバネチャンバも含み、前記挟みバネチャンバの中には位置制限スライドブロックがスライド可能に取り付けられ、前記位置制限スライドブロックの頂面には連結ロッドが固定的に取り付けられ、前記連結ロッドの頂部には挟みロッドが固定的に連結され、前記位置制限スライドブロックの頂面と前記挟みバネチャンバの頂壁との間には挟みバネが固定的に取り付けられていることを特徴とする請求項１に記載のステープルリムーバー。
【手続補正２】
【補正対象書類名】明細書
【補正対象項目名】全文
【補正方法】変更
【補正の内容】
【発明の詳細な説明】
【技術分野】
【０００１】
本発明は事務用品分野を取り上げて、具体的にはステープルリムーバーである。 
【背景技術】
【０００２】
現在オフィスで使われているステープルリムーバーは、一般的にステープルリムーバーでステープルを挟んだ後、直接に手でステープルを抜き出し、こういうステープルリムーバーを使うには力がかかり、またステープルを挟むときに紙が壊れやすく、特に厚い文書や大きい文書に対して実用的ではない。 
【先行技術文献】
【特許文献】
【０００３】
【特許文献１】中国特許出願公開第１０３６３９９９１号明細書
【発明の概要】
【発明が解決しようとする課題】
【０００４】
本発明の目的はステープルリムーバーを提供し、それは上記の現在の技術中の問題を解決できる。 
【課題を解決するための手段】
【０００５】
本発明のステープルリムーバーは、スタンドを含み、前記スタンドにはステープルリムーバーの高度と角度を調節できる調節部品が設けられ、前記調節部品は前記スタンドの頂面に固定的に取り付けられた回転台を含み、前記回転台には支持アームがヒンジによって取り付けられ、これにより左右方向の角度の調節を実現でき、前記支持アームの中には左右に連通した横ロッドスライド溝が設けられ、前記横ロッドスライド溝の上下内壁の間にはネジロッドが回転できるように取り付けられ、前記ネジロッドには横ロッドがねじ山によって取り付けられ、前記調節部品の左側には抓み部品が設けられ、前記抓み部品は前記横ロッドの左側に設けられたスライドスリーブ溝を含み、前記スライドスリーブ溝にはスライドスリーブがスライドできるように取り付けられ、前記スライドスリーブの中にはスライドロッドがスライドできるように取り付けられ、前記スライドロッドには固定位置制限ブロックが固定的に取り付けられ、前記固定位置制限ブロックと前記スライドスリーブとの間には前記スライドロッドを下へスライドし復帰させることができる復帰バネが固定的に取り付けられ、前記スライドロッドには固定挟み爪がスライドできるように取り付けられ、前記スライドロッドの頂部末端には動き挟み爪がヒンジによって取り付けられ、前記動き挟み爪の後ろ側端面には前記動き挟み爪を回転させることができる回転ロッドが固定的に取り付けられ、前記抓み部品は前記支持アームの後側端面にヒンジによって取り付けられた押しロッドも含み、前記押しロッドと前記スライドロッドとがスライドできるように取り付けられ、前記固定挟み爪と前記動き挟み爪とが協働しステープルを挟んだ後、前記押しロッドを下へ押すことによって前記スライドロッドを上へスライドさせることができ、前記スライドロッドが前記固定挟み爪と前記動き挟み爪とを連動させてステープルを抜き出させ、前記抓み部品の後側には文書を押さえつけることができる押さえつけ部品が設けられ、前記押さえつけ部品は前記横ロッドの底部端面に固定的に取り付けられた第一押さえつけロッドを含み、前記第一押さえつけロッドの中には押さえつけロッドスライド溝が設けられ、前記押さえつけロッドスライド溝の中には第二押さえつけロッドがスライドできるように取り付けられ、前記第二押さえつけロッドの底部末端には直接に文書を押さえつけることができる押さえつけ板がヒンジによって取り付けられ、前記押さえつけ部品は前記第一押さえつけロッドの後側端面にヒンジによって取り付けられた回しロッドも含み、上下に前記回しロッドを回すことによ
って第二押さえつけロッドが上下にスライドでき、前記回しロッドと前記第一押さえつけロッドとの間には引きバネが固定的に取り付けられ、前記第二押さえつけロッドには連結台が固定的に取り付けられ、前記連結台には引きロッドがヒンジによって取り付けられ、前記引きロッドと前記回しロッドとがヒンジによって連結されている。 
【０００６】
更の技術プラン、前記調節部品は前記回転台の前後端面に回転できるように取り付けられ た第一ノブも含み、前記ネジロッドが上へ伸びて前記支持アームの頂面を貫通してお り、前記支持アームの頂面には第二ノブが固定的に取り付けられている。 
【０００７】
更の技術プラン、前記抓み部品は前記スライドロッドにねじ山によって取り付けられた位置制限ナットがねじ山によって取り付けられ、前記スライドスリーブ溝の前後内壁の中にはスライドブロック溝が前後に対称的に設けられ、前記スライドスリーブの前後端面にはスライドブロックが前後に対称的に固定的に取り付けられ、前記スライドブロックと前記スライドブロック溝とがスライドできるように取り付けられ、前記固定挟み爪は前記スライドロッドで一定の距離にしかスライドできなく、前記動き挟み爪と前記スライドロッドの頂面との間にはトーションバネが固定的に取り付けられている。 
【０００８】
更の技術プラン、前記押さえつけ部品は前記スタンドの中に設けられた挟みバネチャンバも含み、前記挟みバネチャンバの中には位置制限スライドブロックがスライド可能に取り付けられ、前記位置制限スライドブロックの頂面には連結ロッドが固定的に取り付けられ、前記連結ロッドの頂部には挟みロッドが固定的に連結され、前記位置制限スライドブロックの頂面と前記挟みバネチャンバの頂壁との間には挟みバネが固定的に取り付けられている。
【発明の効果】
【０００９】
本発明はステープルリムーバーの角度と高度とを調節でき、異なった厚さの文書に対応でき、ステープルを抓むとき、紙が壊れないように保護し、てこの原理を利用し、便利に比較的に大きいステープルを取ることができ、普及価値がある。 
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１１】
【図１】図１は本発明の全体構成略図
【図２】図２は図１の左面構成略図
【図３】図３は図２のＡの拡大構成略図
【図４】図４は押さえつけ板４０の上面構成略図
【発明を実施するための形態】
【００１２】
図１〜４を参照し、本発明のステープルリムーバーは、スタンド１０を含み、前記スタンド１０にはステープルリムーバーの高度と角度を調節できる調節部品８０が設けられ、前記調節部品８０は前記スタンド１０の頂面に固定的に取り付けられた回転台３５を含み、前記回転台３５には支持アーム１６がヒンジによって取り付けられ、これにより左右方向の角度の調節を実現でき、前記支持アーム１６の中には左右に連通した横ロッドスライド溝１８が設けられ、前記横ロッドスライド溝１８の上下内壁の間にはネジロッド１７が回転できるように取り付けられ、前記ネジロッド１７には横ロッド１９がねじ山によって取り付けられ、前記調節部品８０の左側には抓み部品８１が設けられ、前記抓み部品８１は前記横ロッド１９の左側に設けられたスライドスリーブ溝２５を含み、前記スライドスリーブ溝２５にはスライドスリーブ２４がスライドできるように取り付けられ、前記スライドスリーブ２４の中にはスライドロッド２２
がスライドできるように取り付けられ、前記スライドロッド２２には固定位置制限ブロック２８が固定的に取り付けられ、前記固定位置制限ブロック２８と前記スライドスリーブ２４との間には前記スライドロッド２２を下へスライドし復帰させることができる復帰バネ２７が固定的に取り付けられ、前記スライドロッド２２には固定挟み爪２９がスライドできるように取り付けられ、前記スライドロッド２２の頂部末端には動き挟み爪３０がヒンジによって取り付けられ、前記動き挟み爪３０の後ろ側端面には前記動き挟み爪３０を回転させることができる回転ロッド４４が固定的に取り付けられ、前記抓み部品８１は前記支持アーム１６の後側端面にヒンジによって取り付けられた押しロッド２０も含み、前記押しロッド２０と前記スライドロッド２２とがスライドできるように取り付けられ、前記固定挟み爪２９と前記動き挟み爪３０とが協働しステープルを挟んだ後、前記押しロッド２０を下へ押すことによって前記スライドロッド２２を上へスライドさせることができ、前記スライドロッド２２が前記固定挟み爪２９と前記動き挟み爪３０とを連動させてステープルを抜き出させ、前記抓み部品８１の後側には文書を押さえつけることができる押さえつけ部品８２が設けられ、前記押さえつけ部品８２は前記横ロッド１９の底部端面に固定的に取り付けられた第一押さえつけロッド３６を含み、前記第一押さえつけロッド３６の中には押さえつけロッドスライド溝３７が設けられ、前記押さえつけロッドスライド溝３７の中には第二押さえつけロッド３９がスライドできるように取り付けられ、前記第二押さえつけロッド３９の底部末端には直接に文書を押さえつけることができる押さえつけ板４０がヒンジによって取り付けられ、前記押さえつけ部品８２は前記第一押さえつけロッド３６の後側端面にヒンジによって取り付けられた回しロッド４１も含み、上下に前記回しロッド４１を回すことによって第二押さえつけロッド３９が上下にスライドでき、前記回しロッド４１と前記第一押さえつけロッド３６との間には引きバネ４３が固定的に取り付けられ、前記第二押さえつけロッド３９には連結台３８が固定的に取り付けられ、前記連結台３８には引きロッド４２がヒンジによって取り付けられ、前記引きロッド４２と前記回しロッド４１とがヒンジによって連結されている。 
【００１３】
前記調節部品８０は前記回転台３５の前後端面に回転できるように取り付けられた第一ノブ３４も含み、前記ネジロッド１７が上へ伸びて前記支持アーム１６の頂面を貫通しており、前記支持アーム１６の頂面には第二ノブ２１が固定的に取り付けられ、第一ノブ３４を回転させるとき、支持アーム１６に回転台３５を中心に回転させ、角度の調節を実現し、第二ノブ２１を回転させるとき、第二ノブ２１はネジロッド１７を回転連動させることができ、ネジロッド１７が回転することによって横ロッド１９を横ロッドスライド溝１８の中で上下にスライド連動させることができ、ステープルの上下高度の調節を実現する。 
【００１４】
前記抓み部品８１は前記スライドロッド２２にねじ山によって取り付けられた位置制限ナット２３がねじ山によって取り付けられ、前記スライドスリーブ溝２５の前後内壁の中にはスライドブロック溝２６が前後に対称的に設けられ、前記スライドスリーブ２４の前後端面にはスライドブロック３２が前後に対称的に固定的に取り付けられ、前記スライドブロック３２と前記スライドブロック溝２６とがスライドできるように取り付けられ、前記固定挟み爪２９は前記スライドロッド２２で一定の距離にしかスライドできなく、前記動き挟み爪３０と前記スライドロッド２２の頂面との間にはトーションバネ３３が固定的に取り付けられ、ステープルをつまむとき、回転ロッド４４を回転させ、動き挟み爪３０が抓もうとするステープルと互いに邪魔しなく、トーションバネ３３は動き挟み爪３０と固定挟み爪２９とを自動的に協働させることができ、これにより動き挟み爪３０と固定挟み爪２９とがステープルを挟み、押しロッド２０を押し動かし、押しロッド２０はスライドロッド２２を上へスライド連動させることができ、スライドロッド２２が固定挟み爪２９と動き挟み爪３０とを上へ引き動かし、これにより固定挟み爪２９と動き挟み爪３０とがステープルを取る。 
【００１５】
前記押さえつけ部品８２は前記スタンド１０の中に設けられた挟みバネチャンバ１３も含み、前記挟みバネチャンバ１３の中には位置制限スライドブロック１５がスライド可能に取り付けられ、前記位置制限スライドブロック１５の頂面には連結ロッド１２が固定的に取り付けられ、前記連結ロッド１２の頂部には挟みロッド１１が固定的に連結され、前記位置制限スライドブロック１５の頂面と前記挟みバネチャンバ１３の頂壁との間には挟みバネ１４が固定的に取り付けられ、文書をスタンド１０に置いた後、挟みロッド１１は直接に文書を挟むことができ、抓む準備をするとき、回しロッド４１を下へ回し、押さえつけ板４０に文書を押さえつけさせ、これによりステープルが便利に取られることができ、抓み完了のとき、回しロッド４１を上へ回し、押さえつけ板４０が押さえつけることを止め、文書を取り出すことができる。 
【００１６】
使用時には：文書をスタンド１０に置いた後、挟みロッド１１は直接に文書を挟むことができ、抓む準備をするとき、回しロッド４１を下へ回し、押さえつけ板４０に文書を押さえつけさせ、ステープルをつまむとき、回転ロッド４４を回転させ、動き挟み爪３０が抓もうとするステープルと互いに邪魔しなく、トーションバネ３３は動き挟み爪３０と固定挟み爪２９とを自動的に協働させることができ、これにより動き挟み爪３０と固定挟み爪２９とがステープルを挟み、押しロッド２０を押し動かし、押しロッド２０はスライドロッド２２を上へスライド連動させることができ、スライドロッド２２が固定挟み爪２９と動き挟み爪３０とを上へ引き動かし、これにより固定挟み爪２９と動き挟み爪３０とがステープルを取り、これにより便利にステープルを取ることができ、抓み完了のとき、回しロッド４１を上へ回し、押さえつけ板４０が押さえつけることを止め、文書を取り出すことができ、第一ノブ３４を回転させるとき、支持アーム１６に回転台３５を中心に回転させ、角度の調節を実現し、第二ノブ２１を回転させるとき、第二ノブ２１はネジロッド１７を回転連動させることができ、ネジロッド１７が回転することによって横ロッド１９を横ロッドスライド溝１８の中で上下にスライド連動させることができ、ステープルの上下高度の調節を実現する。 
【００１７】
本発明の有益効果は：本発明はステープルリムーバーの角度と高度とを調節でき、異なった厚さの文書に対応でき、ステープルを抓むとき、紙が壊れないように保護してこの原理を利用し、便利に比較的に大きいステープルを取ることができ、普及価値がある。 
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。